(57)【要約】【課題】湯が入っていない状態において折り畳みができ、持ち運びが可能で、使い勝手の良い介護用浴槽を提供する。【解決手段】樹脂材料からなり、柔軟性、伸縮性、非透水性を有せしめた２枚のシート２，３を重ねて平面形状が矩形の上端開口の箱状に作られた浴槽本体１と、樹脂材料からなり、柔軟性、伸縮性、非透水性を有せしめたシートにより作られた蓋体４とを備え、この蓋体４は浴槽本体１の上端の１辺に１辺が取り付けられるとともに残りの３辺はファスナー５，６により開閉自在に構成され、前記蓋体４には被介護者の顔を出すための顔出し孔７と介護者の腕挿入孔８が形成されている。【選択図】        図１
2005021412.tif 000002
【特許請求の範囲】
【請求項１】
樹脂材料からなり、柔軟性、伸縮性、非透水性を有せしめた２枚のシートを重ねて平面形状が矩形の上端開口の箱状に作られた浴槽本体と、樹脂材料からなり、柔軟性、伸縮性、非透水性を有せしめたシートにより作られた蓋体とを備え、この蓋体は浴槽本体の上端の１辺に１辺が取り付けられるとともに残りの３辺はファスナーにより開閉自在に構成され、前記蓋体には被介護者の顔を出すための顔出し孔と介護者の腕挿入孔が形成されていることを特徴とする介護用浴槽。
【請求項２】
浴槽本体を構成する２枚のシート間にエアーを注入する給気口を設けたことを特徴とする請求項１記載の介護用浴槽。
【請求項３】
浴槽本体と蓋体は、クロロプレンゴムを主成分とし、軟化剤、架橋剤、発泡剤などと混ぜ合わせた材料を加熱発泡させて作られたシートからなることを特徴とする請求項１または２記載の介護用浴槽。
【発明の詳細な説明】
【０００１】
【発明の属する技術分野】
本発明は介護用浴槽に関するものである。
【０００２】
【従来の技術】
従来の介護用浴槽としては例えば特許文献１に開示されているように、金属、プラスチックなどから作られた浴槽が一般に知られている。
【０００３】
この金属、プラスチックなどから作られた浴槽は折り畳み不可能で、重量も重く、持ち運びには不向きであるという問題があった。
【０００４】
【特許文献１】
特開２００１−８７３３６号公報
【０００５】
【発明が解決しようとする課題】
本発明はこのような課題を解決するもので、湯が入っていない状態において折り畳みができ、持ち運びが可能で、使い勝手の良い介護用浴槽を提供することを目的とするものである。
【０００６】
【課題を解決するための手段】
この課題を解決するために本発明は、樹脂材料からなり、柔軟性、伸縮性、非透水性を有せしめた２枚のシートを重ねて平面形状が矩形の上端開口の箱状に作られた浴槽本体と、樹脂材料からなり、柔軟性、伸縮性、非透水性を有せしめたシートにより作られた蓋体とを備え、この蓋体は浴槽本体の上端の１辺に１辺が取り付けられるとともに残りの３辺はファスナーにより開閉自在に構成され、前記蓋体には被介護者の顔を出すための顔出し孔と介護者の腕挿入孔が形成されていることを要旨とするものである。また本発明は、浴槽本体を構成する２枚のシート間にエアーを注入する給気口を設けたことを要旨とするものである。さらに本発明は、浴槽本体と蓋体は、クロロプレンゴムを主成分とし、軟化剤、架橋剤、発泡剤などと混ぜ合わせた材料を加熱発泡させて作られたシートからなることを要旨とするものである。
【０００７】
この構成により、浴槽本体および蓋体が柔軟性、伸縮性、非透水性のある樹脂材料で作られているので、軽量であり、持ち運びが容易となり、使い勝手の良い介護用浴槽を提供することができる。特に、蓋体には被介護者の顔を出すための顔出し孔と介護者の腕挿入孔が形成されていることにより、介護者が腕挿入孔より腕を入れて浴槽本体の中で被介護者の身体を洗う際に、浴槽本体の中の湯が外に飛び散るようなこともない。また、浴槽本体を構成する２枚のシート間に給気口よりエアーを注入することにより、浴槽本体の内面側に位置するシートを上方に浮き上がらせることにより、浴槽本体の上端部で被介護者を受けることができるようになっているので、被介護者を浴槽本体内に入れるとき一人の介護者で作業を楽に行なえる。
【０００８】
【発明の実施の形態】
以下、本発明の一実施の形態について、図面に基づいて説明する。
図１〜図９において、１はクロロプレンゴムを主成分とし、軟化剤、架橋剤、発泡剤などと混ぜ合わせた材料を加熱発泡させて作られた柔軟性、伸縮性、非透水性を有する２枚のシート２，３を重ねて平面形状が長方形の上端開口の箱状に作られた浴槽本体である。
【０００９】
前記２枚のシート２，３は一方の面がクロロプレンゴムが露出して平滑であるが、他方の面はジャージの布帛で形成されている。そして、浴槽本体１の外面を形成する一方のシート２の一方の面が内面側に向き、ジャージの布帛で形成されている他方の面は外面側に向いている。また、浴槽本体１の内面を形成する他方のシート３の一方の面が内面側に向き、ジャージの布帛で形成されている他方の面は外面側に向いている。
【００１０】
浴槽本体１の１つの長辺には上端開口部を開閉自在とする蓋体４の１つの長辺が縫着または溶着により取り付けられ、蓋体４は浴槽本体１の残りの３辺に対してファスナー５，６により結合されて浴槽本体１の上端開口部を閉じるようになっている。蓋体４も前記浴槽本体１と同様にクロロプレンゴムを主成分とし、軟化剤、架橋剤、発泡剤などと混ぜ合わせた材料を加熱発泡させて作られた柔軟性、伸縮性、非透水性を有するシートからなるが、蓋体４は１枚のシートにより構成されている。さらに詳しくは、蓋体４の内面はクロロプレンゴムが露出して平滑である面により形成され、蓋体４の外面はジャージの布帛で形成されている面により形成されている。そして、浴槽本体１と蓋体４との間の防水性を得るために浴槽本体１側のファスナー部５ａ，６ａは浴槽本体１の外側で浴槽本体１の上端よりやや下側位置に取り付けられ、蓋体４側のファスナー部５ｂ，６ｂは蓋体４の外側で外周よりもやや内側位置に取り付けられ、ファスナー部５ａとファスナー部５ｂ、ファスナー部６ａとファスナー部６ｂを噛合させて蓋体４を閉じた状態において浴槽本体１の上端と蓋体４の外周とが密着し、浴槽本体１内の湯がファスナー５，６部から漏出するのを防止できるようになっている。なお、前記ファスナー５，６の内、一方のファスナー５は前記浴槽本体１の残りの３辺の内、１つの短辺と残り１つの長辺とを連続的に閉じ、他方のファスナー６は前記浴槽本体１の残りの１つの短辺を閉じるように設けられている。
【００１１】
ところで、前記蓋体４には長辺の一端近傍で短辺の中央部に顔出し孔７が形成され、またこの顔出し孔７の形成位置と長辺の他端との間をほぼ４等分する位置で腕挿入孔８がそれぞれ２つづつ形成されている。図面に示す実施の形態では顔出し孔７と腕挿入孔８は同じ内径に形成されているが、蓋体４の材料は伸縮性を有するので、顔出し孔７については引っ張ることにより延びて被介護者の頭周りよりも大きくなる程度とし、腕挿入孔８については介護者の腕が無理なく挿通できる程度とすれば良い。
【００１２】
さらに、図において、９は前記浴槽本体１の２枚のシート２，３間にエアーを注入する給気口で、前記浴槽本体１の２枚のシート２，３間にエアーを注入して浴槽本体１の底部内面を形成する前記他方のシート３の底部を上方に浮き上がらせ、被介護者を受けることができるようになっている。１０は２枚のシート２，３間のエアーを抜くための排気口である。なお、図面では示されていないが、浴槽本体１には給湯管および排水管が繋がれるようになっている。また、浴槽本体１の形状を保持するために浴槽本体１の周りを補強枠で覆うようにしても良い。
【００１３】
上記構成の介護用浴槽を用いて被介護者を入浴させる場合は、蓋体４が縫着により取り付けられている浴槽本体１の１つの長辺を被介護者１１が横たわっているベッド１２に近づけ、前記ファスナー５，６を開いた状態にして蓋体４を裏向け状態でベッド１２の上に載せる。その後、裏向け状態の蓋体４上に被介護者１１を載せる（図５参照）。浴槽本体１においては予め２枚のシート２，３間にエアーを注入しておいて前記他方のシート３の底部を上方に浮き上がらせた状態としておき、蓋体４上から被介護者１１を浮き上がっている他方のシート３上に載せる（図６参照）。その後、排気口１０より２枚のシート２，３間のエアーを抜いて、被介護者１１が載っている前記他方のシート３の底部を下降させ、被介護者１１を浴槽本体１の底部に落ち着かせる（図７参照）。その後、蓋体４で上端開口部を覆うとともに蓋体４の顔出し孔７を広げて顔出し孔７より被介護者１１の顔を上方に突出させる（図８参照）。かかる状態で浴槽本体１の中に湯を張り、ファスナー５，６で蓋体４を浴槽本体１の上端に結合させて浴槽本体１の上端開口部を閉じる（図９参照）。
【００１４】
このようにして被介護者１１は風呂につかることができるのであるが、介護者が浴槽本体１の中で被介護者１１の身体を洗う場合は前記腕挿入孔８より腕を入れて被介護者１１の身体を洗えば良い。
【００１５】
ところで、入浴中において前記ファスナー５，６により浴槽本体１の上端開口部を完全に閉じるようにしても良いが、前記浴槽本体１の残りの１つの短辺を閉じる他方のファスナー６は開いておいても良い。
【００１６】
また、浴槽本体１および蓋体４の材料としては上記した材料に限定されるものではなく、他の柔軟性、伸縮性、非透水性のある樹脂材料であっても良い。
【００１７】
【発明の効果】
以上のように本発明によれば、浴槽本体および蓋体が柔軟性、伸縮性、非透水性のある樹脂材料で作られているので、軽量であり、持ち運びが容易となり、使い勝手の良い介護用浴槽を提供することができる。特に、蓋体には被介護者の顔を出すための顔出し孔と介護者の腕挿入孔が形成されていることにより、介護者が腕挿入孔より腕を入れて浴槽本体の中で被介護者の身体を洗う際に、浴槽本体の中の湯が外に飛び散るようなこともない。また、浴槽本体を構成する２枚のシート間に給気口よりエアーを注入することにより、浴槽本体の内面側に位置するシートを上方に浮き上がらせることにより、浴槽本体の上端部で被介護者を受けることができるようになっているので、被介護者を浴槽本体内に入れるとき一人の介護者で作業を楽に行なえる。
【図面の簡単な説明】
【図１】本発明の一実施の形態における介護用浴槽の蓋体を閉じた状態を示す斜視図である。
【図２】同介護用浴槽の蓋体を閉じた状態を示す縦断正面図である。
【図３】同介護用浴槽の蓋体を開いた状態を示す斜視図である。
【図４】同介護用浴槽の蓋体を開いた状態を示す縦断側面図である。
【図５】同介護用浴槽の蓋体の上に被介護者を載せた状態を示す斜視図である。
【図６】同介護用浴槽の浮き上がっている他方のシート上に被介護者を載せた状態を示す斜視図である。
【図７】同介護用浴槽の底部に被介護者を落ち着かせた状態を示す斜視図である。
【図８】同介護用浴槽の蓋体の顔出し孔より被介護者の顔を上方に突出させた状態を示す斜視図である。
【図９】同介護用浴槽の蓋体の顔出し孔より被介護者の顔を上方に突出させてファスナーで蓋体を閉じた状態を示す斜視図である。
【符号の説明】
１            浴槽本体
２，３        シート
４            蓋体
５，６        ファスナー
５ａ，６ａ    ファスナー部
５ｂ，６ｂ    ファスナー部
７            顔出し孔
８            腕挿入孔
９            給気口
１０            排気口
１１            被介護者
１２            ベッド
【図１】
2005021412.tif 000003
【図２】
2005021412.tif 000004
【図３】
2005021412.tif 000005
【図４】
2005021412.tif 000006
【図５】
2005021412.tif 000007
【図６】
2005021412.tif 000008
【図７】
2005021412.tif 000009
【図８】
2005021412.tif 000010
【図９】
2005021412.tif 000011